(57)【要約】【課題】種々の形状の、とりわけ曲面を有する道路付帯設備における電波障害を防止できる自動車追突防止システムにおける不要電波抑制方法及び道路付帯設備を提供する。【解決手段】ミリ波帯の電波を吸収する電波吸収体により、車両Ｃ１及びＣ２に搭載されたミリ波レーダーから発せられる電波Ｗ１、Ｗ２を吸収し、不要電波の発生を抑制できるが、可とう性の電波吸収体を用いることで様々な外形を有する道路付帯設備の外面に追随して取り付けることができ、とりわけガードレール支柱１Ａや道路用標示体１Ｂといった、少なくとも一点において電波の再帰反射の起こる円筒状の道路付帯設備における不要電波の抑制が可能となる。【参照図】        図１【特許請求の範囲】
【請求項１】
道路付帯設備の外面にミリ波帯の電波を吸収する可とう性の電波吸収体を取り付けることを特徴とする自動車追突防止システムにおける不要電波抑制方法。
【請求項２】
前記道路付帯設備は、カーブする道路の周辺に設置されたものであることを特徴とする請求項１に記載の自動車追突防止システムにおける不要電波抑制方法。
【請求項３】
前記道路付帯設備は、円筒状の形状のものであることを特徴とする請求項１又は２に記載の自動車追突防止システムにおける不要電波抑制方法。
【請求項４】
前記円筒状の形状の道路付帯設備は、ガードレール支柱、防護柵支柱、道路標識支柱、道路用標示体からなる群から選ばれた少なくとも１つであることを特徴とする請求項３に記載の自動車追突防止システムにおける不要電波抑制方法。
【請求項５】
自動車追突防止システムにおけるミリ波帯の電波を吸収する可とう性の電波吸収体が外面に取り付けられていることを特徴とする道路付帯設備。
【発明の詳細な説明】
【技術分野】
【０００１】
本発明は、自動車追突防止のために発信される電波により発生する不要電波による電波障害を防止する不要電波抑制方法及び道路付帯設備に関するものである。
【背景技術】
【０００２】
自動車において、主にミリ波レーダーを搭載し、その反射波の受信により自動車のスロットルやブレーキを制御して追突を防止する取り組みは既に実用化されているが、そのミリ波などが道路の周辺で反射して誤ってレーダーにより受信され、自動車が予期せぬ挙動を示して逆に危険な状態に陥るといった、電波障害による不具合が起こる恐れがある。その様な電波障害の対策として、特許文献１の電磁波シールド吸音パネルや、本出願人による特許文献２の不要電波抑制方法などが開示されてきている。
【０００３】
【特許文献１】特開平１１−２４７３２３号公報
【特許文献２】特開２００２−６１１３０号公報
【発明の開示】
【発明が解決しようとする課題】
【０００４】
しかしながら、道路周辺には様々な形状の道路付帯設備が設置されており、特許文献１や特許文献２は概ね平面状の道路付帯設備を想定しているものであり、曲面を有する道路付帯設備への対応が不十分なものであった。
【０００５】
本発明は上記の如き課題に鑑みてなされたものであり、種々の形状の、とりわけ曲面を有する道路付帯設備における電波障害を防止できる自動車追突防止システムにおける不要電波抑制方法及び道路付帯設備を提供せんとするものである。
【課題を解決するための手段】
【０００６】
上記課題を解決するため、本発明は以下のような構成としている。すなわち、本発明に係わる自動車追突防止システムにおける不要電波抑制方法は、道路付帯設備の外面にミリ波帯の電波を吸収する可とう性の電波吸収体を取り付けることを特徴とするものである。
【０００７】
また前記道路付帯設備は、カーブする道路の周辺に設置されたものであることを特徴とするものである。
【０００８】
また前記道路付帯設備は、円筒状の形状のものであることを特徴とするものである。
【０００９】
また前記円筒状の形状の道路付帯設備は、ガードレール支柱、防護柵支柱、道路標識支柱、道路用標示体からなる群から選ばれた少なくとも１つであることを特徴とするものである。
【００１０】
また本発明に係わる道路付帯設備は、自動車追突防止システムにおけるミリ波帯の電波を吸収する可とう性の電波吸収体が外面に取り付けられていることを特徴とするものである。
【発明の効果】
【００１１】
請求項１に記載の本発明に係わる自動車追突防止システムにおける不要電波抑制方法によれば、ミリ波帯の電波を吸収する電波吸収体によりミリ波レーダーから発せられる電波を吸収し、不要電波の発生を抑制できるが、可とう性の電波吸収体を用いることで様々な外形、とりわけ曲面を有する外面に追随して取り付けることができ、種々の道路付帯設備における不要電波の抑制が可能なものとなる。
【００１２】
また請求項２の発明によれば、カーブする道路においては直進する自動車から発せられた電波が道路付帯設備に照射されて反射されることにより不要電波が発生しやすい箇所であり、かかる状況において電波吸収を行うことで電波障害の防止は効果的に行われることとなり好ましい。
【００１３】
また請求項３の発明によれば、円筒状の形状の道路付帯設備においては、周囲のいずれの方向から電波が照射されてもいずれかの箇所において電波が垂直に入射することになり、必ず道路付帯設備から反射された電波が不要電波となって再帰反射されることから、かかる形状の道路付帯設備について電波吸収を行うことで電波障害の防止は効果的に行われることとなり好ましい。
【００１４】
また請求項４の発明によれば、上記の道路付帯設備は円筒状の形状であり、また道路に沿って連続して設置されることが多く、かかる道路付帯設備について電波吸収を行うことで電波障害の防止は効果的に行われることとなり好ましい。
【００１５】
また請求項５に記載の本発明に係わる道路付帯設備によれば、従来不要電波の発生を防止するのが困難であった曲面を有する道路付帯設備においても不要電波を容易に抑制することができ、また自動車と正対するものはもとより、あらゆる角度からの自動車の接近の可能性がある場所に設置しても不要電波を発生させる恐れがなく、あらゆる形状や設置状況に対しても適用が可能なものとなり得る。
【発明を実施するための最良の形態】
【００１６】
本発明に係わる最良の実施の形態について、図面に基づき以下に具体的に説明する。
図１及び図２は、本発明に係わる不要電波の発生状態の一例を説明する平面図である。中央線Ｌが設けられた道路Ｒ上を追突防止システムを搭載した自動車Ｃ１及びＣ２が走行しているが、自動車Ｃ１及びＣ２がカーブにさしかかると、カーブの外側車線を走行する自動車Ｃ１の追突防止用レーダーから発せられているミリ波Ｗ１はカーブの外側の道路付帯設備であるガードレール支柱１Ａに照射される。ガードレール支柱１Ａによりミリ波が反射され、検知された距離が自動車Ｃ１の制御範囲内と判断されると、追突防止システムが前方車両が接近したと判断し、ブレーキをかけるように指示を行う。例えばこのカーブのＲが小さい場合、ガードレール支柱１Ａが衝突防止用レーダーに検知されるのはごく近い距離となり、突然急制動が行われたりして非常に危険な状態となる恐れがある。また同様にカーブの内側車線を走行する自動車Ｃ２については、中央線Ｌ付近に立設された道路用標示体１Ｂによりミリ波Ｗ２が反射され、追突防止の恐れのない状況で追突防止システムが作動する恐れがある。
【００１７】
自動車Ｃ１からガードレール支柱１Ａに照射されたミリ波Ｗ１は、図２の平面図に示す如く反射されて不要電波となる。ミリ波Ｗ１はガードレール市中１Ａに対し、広がりをもった略平行の電束として照射されるが、ガードレール支柱１Ａは円筒状の形状であるから、いずれの方向から到来するミリ波Ｗ１に対しても少なくとも一点において円弧状の外形の接線とミリ波Ｗ１とが垂直となるミリ波Ｗ１１が生じる。前記の接線とミリ波Ｗ１とが垂直にならないミリ波Ｗ１２やＷ１３については、ミリ波Ｗ１は自動車Ｃ１と別な方向に反射され、電波障害を発生させる不要電波とはならない。
【００１８】
図３は、本発明に係わる不要電波抑制方法が適用される道路付帯設備の一例を示すもので、ガードレールを示す説明図であるが、ガードレール支柱１Ａは一般に鉄鋼等の電波反射体である金属から形成されるものである。ガードレール支柱１Ａの周囲、少なくとも防護板１Ａ１が設けられていない部分にシート状の可とう性の電波吸収体を取り付けることで、ガードレールの外観をそれ程損なうことなく不要電波の抑制を図ることができる。防護板１Ａ１については、走行する自動車と防護板１Ａ１とが追突防止システムが作動しない角度で設置されていなければ特に電波吸収体を取り付ける必要はないが、対向車へのミリ波の到達の恐れがあれば、可とう性の電波吸収体や従来の電波吸収体を取り付けておいてもよい。
【００１９】
ミリ波を減衰させるシート状の可とう性の電波吸収体は、金属粉末等の導電性電波吸収材料、カーボンブラックやグラファイト等の誘電性電波吸収材料、フェライト等の磁性電波吸収材料のいずれかを用い、これらの電波吸収材料を可とう性の合成樹脂やゴム等の誘電体中に混入して成形したり、塗料に混入して塗布して形成するものである。また磁性電波吸収材料を用いる場合には、焼結体に金属箔など、可とう性を損なうことの少ない電波反射体を裏打ちして構成してもよい。
【００２０】
図４は、本発明に係わる不要電波抑制方法が適用される道路付帯設備の他の例を示すもので、道路用標示体を示す説明図である。道路用標示体１Ｂは円筒状の形状となされ、台座１Ｂ１の上方に突設され、夜間における視認性を高めるために反射シートＲが貼着されている。一般に道路用標示体１Ｂは、電波を透過するポリウレタン等の合成樹脂を用いて形成されるが、ミリ波は波長が短く、合成樹脂であっても反射されやすい性質のものであり、道路用標示体１Ｂにミリ波が照射されると電波障害の原因となる不要電波が発生する恐れがある。かかる円筒状の道路用標示体１Ｂにシート状の可とう性の電波吸収体を取り付けることで、ガードレールの外観をそれ程損なうことなく不要電波の抑制を図ることができる。
【００２１】
図５は、本発明に係わる不要電波抑制方法が適用される道路付帯設備の他の例を示すもので、防護柵を示す説明図である。防護柵は、路面から立設された鉄鋼等の金属製の防護柵支柱１Ｃ間に鉄鋼等の金属製の横梁１Ｃ１が差し渡されて形成されたものであるが、防護柵支柱１Ｃは円筒状の形状となされており、上述の如き電波障害を発生させる不要電波が生じる恐れがある。かかる防護柵支柱１Ｃにシート状の可とう性の電波吸収体を取り付けることで、ガードレールの外観をそれ程損なうことなく不要電波の抑制を図ることができる。
【００２２】
図６は、本発明に係わる不要電波抑制方法が適用される道路付帯設備の他の例を示すもので、道路標識を示す説明図である。道路標識は、立設された道路標識支柱１Ｄに横梁１Ｄ２が取り付けられ、横梁１Ｄ２に表示板１Ｄ１が取り付けられて形成される。道路標識支柱１Ｄ、表示板１Ｄ１、横梁１Ｄ２はいずれも電波反射体である鉄鋼、アルミニウム等の金属製であるが、表示板１Ｄ１、横梁１Ｄ２は高所に設けられていることで追突防止システムに係わるミリ波は到来することはないが、道路標識支柱１Ｄは路面から立設され、また円筒状の形状となされていることで、上述の如き電波障害を発生させる不要電波が生じる恐れがある。かかる道路標識支柱１Ｄにシート状の可とう性の電波吸収体を取り付けることで、ガードレールの外観をそれ程損なうことなく不要電波の抑制を図ることができる。
【図面の簡単な説明】
【００２３】
【図１】自動車における追突防止システムの、不要電波の発生状況の一例を示す平面図である。
【図２】円筒状の道路付帯設備における不要電波の発生状況の一例を示す平面図である。
【図３】本発明に係わる不要電波抑制方法が適用される道路付帯設備の一例を示す説明図である。
【図４】本発明に係わる不要電波抑制方法が適用される道路付帯設備の他の例を示す説明図である。
【図５】本発明に係わる不要電波抑制方法が適用される道路付帯設備の他の例を示す説明図である。
【図６】本発明に係わる不要電波抑制方法が適用される道路付帯設備の他の例を示す説明図である。
【符号の説明】
【００２４】
１Ａ  ガードレール支柱
１Ｂ  道路用標識柱
１Ｃ  防護柵支柱
１Ｄ  道路標識支柱
Ｃ１、Ｃ２  自動車
Ｗ１、Ｗ２  ミリ波
Ｒ    道路
【図１】
2005089966.tif 000002
【図２】
2005089966.tif 000003
【図３】
2005089966.tif 000004
【図４】
2005089966.tif 000005
【図５】
2005089966.tif 000006
【図６】
2005089966.tif 000007